(57)【要約】【課題】出射される面状光の輝度むらを抑制することができるバックライトユニット及びこのバックライトユニットを用いた液晶表示装置を提供する。【解決手段】側方の受光面２２で光源３１からの光を受光し、正面側に向いた出光面２１より面状光を出射する矩形状の導光板２と、出光面２１の近くに面状光が透過するように重ねて配置された複数枚の矩形状の光学シート４１、４２、４３を有する光学シート群４とを備え、光学シート群４には、先端部に隣の光学シートに引っ掛からないように折り曲げられた折曲部４１１、４２１を備えた光学シート４１、４２が含まれていることを特徴とするバックライトユニット１。【選択図】図２
2013175367.tif 000002
【特許請求の範囲】
【請求項１】
側方の受光面で光源からの光を受光し、正面側に向いた出光面より面状光を出射する矩形状の導光板と、
前記出光面の近くに前記面状光が透過するように重ねて配置された複数枚の矩形状の光学シートを有する光学シート群とを備え、
前記光学シート群には、先端部に隣の光学シートに引っ掛からないように折り曲げられた折曲部を備えた光学シートが含まれていることを特徴とするバックライトユニット。
【請求項２】
前記折曲部が、前記折曲部を備えた光学シートの少なくとも３辺に形成されている請求項１に記載のバックライトユニット。
【請求項３】
前記光学シート群は、１枚の折曲部を備えていない光学シートを有しており、
前記折曲部を備えた光学シートが前記折曲部を備えていない光学シートの一方の面側に配置されている請求項１又は請求項２に記載のバックライトユニット。
【請求項４】
前記光学シート群は、１枚の折曲部を備えていない光学シートを有しており、
前記折曲部を備えた光学シートが前記折曲部を備えていない光学シートの両面に分かれて配置されている請求項１又は請求項２に記載のバックライト。
【請求項５】
前記光学シート群は複数枚の折曲部を備えた光学シートを重ねて配置した構成を有しており、
前記光学シート群が熱膨張していない状態及び熱膨張した状態いずれの状態でも、前記折曲部を備えた光学シートは、前記折曲部を備えていない光学シートから遠くに配置されているものが近くに配置されているものよりも大きくならないように形成されている請求項３又は請求項４に記載のバックライトユニット。
【請求項６】
前記光学シート群は複数枚の折曲部を備えた光学シートを重ねて配置した構成を有しており、
前記折曲部を備えた光学シートは、前記折曲部を備えていない光学シートから遠いほど、折曲部の折曲角度が大きくなっている請求項３から請求項５のいずれかに記載のバックライトユニット。
【請求項７】
熱膨張している状態のとき、前記折曲部を備えていない光学シートの隣に配置される前記折曲部を備えた光学シートの折曲部は、前記折曲部を備えていない光学シートの先端と平面視において重なっている請求項３から請求項６のいずれかに記載にバックライトユニット。
【請求項８】
前記光学シート群は複数枚の折曲部を備えた光学シートを重ねて配置した構成を有しており、
前記重ねて配置された複数枚折曲部を備えた光学シート上からｍ番目の光学シートの初期長さをｘｍ、線膨張係数をαｍ、折曲角をθｍ、前記光学シート群の温度変化をΔＴとしたとき、
αｍ−１＞αｍ
ｘｍ−１＋ｘｍ−１×αｍ−１×ΔＴ＜ｘｍ＋ｘｍ×αｍ×ΔＴ
θｍ−１≧θｍ 
（ｍは２以上の自然数）
が成り立つことを特徴とする請求項１から請求項７のいずれかに記載のバックライトユニット。
【請求項９】
請求項１から請求項８のいずれかに記載のバックライトユニットと、
前記バックライトユニットの正面側に配置された液晶パネルユニットとを備えたことを特徴とする液晶表示装置。
【発明の詳細な説明】
【技術分野】
【０００１】
本発明は、液晶表示装置に関し、液晶表示装置に用いられるバックライトユニットに関する。
【背景技術】
【０００２】
液晶表示装置は、液晶パネルユニットと、前記液晶パネルユニットの背面に配置されるバックライトユニットを備えており、前記液晶パネルユニットが、前記バックライトユニットからの光の透過率（透過量）を調整し、前記液晶パネルユニットの前面に画像を表示している。
【０００３】
前記バックライトユニットには、大きく分けて２つの方式がある。１つは導光板の側面から光を入射させる導光板方式（エッジライト方式）であり、もう１つは液晶モジュールの背面に光源を配置した直下型方式である。
【０００４】
以下に、エッジライト方式のバックライトユニットを備えた液晶表示装置について説明する。図１４は従来のエッジライト方式のバックライトユニットの分解斜視図であり、図１５は図１４に示すバックライトユニットの断面図である。図１４に示すように、エッジライト方式のバックライトユニット９１は、複数個の光源（ＬＥＤ）が並んで配置された光源ユニット９３と、光源ユニット９３から出射された光を側面の受光面９２２から受光し、正面側の主面の出光面９２１より面状光を出射する導光板９２と、導光板９２の出光面９２１に接近して配置された光学シート群９４と、導光板９２及び光学シート群９４を押えるパネルホルダ９５とを備えている。そして、これらの部材は、バックライトシャーシ９７の内部に配置されている。
【０００５】
図１５に示すように、液晶表示装置において、光学シート群９４は、それぞれ異なる光学特性を有する３枚の光学シート９４１、９４２、９４３を有している。第１光学シート９４１は、導光板９２より出射された面状光を拡散する拡散シートであり、第２光学シート９４２は面状光を正面側に集光するプリズムシートであり、第３光学シート９４３は面状光の（正面側の）輝度を向上する偏光反射シート（ＢＤＥＦ）である。
【０００６】
このような光学シート９４１、９４２、９４３は樹脂で形成されている場合が多く、バックライトユニット９１の駆動で発生する熱によって熱膨張する。熱膨張によって光学シート９４１、９４２、９４３の端部がバックライトシャーシ９７に接触し、光学シート９４１、９４２、９４３がたわむ場合がある。このようなシートのたわみを抑制するため、バックライトユニット９１では、光学シート９４１、９４２、９４３の端部と筐体との間隔が熱膨張時に接触しないように設定されている。
【０００７】
また、バックライトユニットによっては、光学シート９４１、９４２、９４３の膨張しろを十分に確保することができない場合もある。特開２０１０−１２３３９８号公報に示すように、光学シートの辺縁部を複数個の短冊状に並べて形成し、短冊状の部分を上下に交互に折り曲げており、それぞれの短冊状の部分がシートホルダに配置されている。そして、短冊状の部分はシートホルダ内で伸縮する。これにより、光学シートの平面方向への応力が作用するのを抑制し、たわみの発生を抑えている。
【０００８】
一方で、第１光学シート９４１、第２光学シート９４２及び第３光学シート９４３が、それぞれ異なる線膨張係数を有している場合がある。例えば、第１光学シート９４１の線膨張係数が最も大きく、第３光学シート９４３の線膨張係数が最も小さいとすると、図１５に示すように、バックライトユニット９１は、熱膨張で変形しても端部がバックライトシャーシ９７と接触しないように、バックライトシャーシ９７の側面から端部までの距離をあけている。図１５に示すバックライトユニット９１では、第１光学シート９４１が最も長く、第３光学シート９４３が最も短くなるように形成している。これにより、第１光学シート９４１、第２光学シート９４２及び第３光学シート９４３が熱膨張しても、バックライトシャーシ９７に接触するのを抑制している。
【先行技術文献】
【特許文献】
【０００９】
【特許文献１】特開２０１０−１２３３９８号公報
【発明の概要】
【発明が解決しようとする課題】
【００１０】
図１５に示すように、線膨張係数が大きいシートの端部は、線膨張係数が小さいシートの平面部分と接触している。このような構成の光学シート群９４において、各シート９４１、９４２、９４３が加熱されると、熱膨張の速度差（変形量の差）によって、線膨張係数が高いシートの先端が、線膨張係数が低いシートに引っかかる場合がある。このような状態で、熱膨張が進むと、引っかかっている部分ではずれにくいので、熱膨張の差で線膨張係数の大きいシートがたわみ、面状光の輝度むらの原因となる。
【００１１】
さらに、このような光学シートの製造には、大面積のシートを型で打抜いて所望の大きさの光学シートを形成する打抜き加工が採用されることが多い。このような、型による打抜き加工でシートを打抜くと、切断端面にバリが残る場合ある。このようなバリが残っていると、先端部が他の光学シートに引っかかりやすく、光学シートがたわむ原因となりやすい。
【００１２】
また、各光学シートの線膨張係数が異なる光学シート群に対して、特開２０１０−１２３３９８号公報に記載の構造を採用したとしても、線膨張係数の高い光学シートの先端が、隣の光学シートに引っかかるのを抑制しにくい。そのため、熱膨張の差によって光学シートのたわみ、しわが発生してしまう場合があり、面状光の輝度むらの原因となる。
【００１３】
そこで本発明は、出射される面状光の輝度むらを抑制するとともに、光の利用率を高めることができるバックライトユニット及びこのバックライトユニットを用いた液晶表示装置を提供することを目的とする。
【課題を解決するための手段】
【００１４】
上記目的を達成するため本発明は、側方の受光面で光源からの光を受光し、正面側に向いた出光面より面状光を出射する矩形状の導光板と、前記出光面の近くに前記面状光が透過するように重ねて配置された複数枚の矩形状の光学シートを有する光学シート群とを備え、前記光学シート群には、先端部に隣の光学シートに引っ掛からないように折り曲げられた折曲部を備えた光学シートが含まれていることを特徴とするバックライトユニットを提供する。
【００１５】
この構成によると、前記光学シート群に前記折曲部を備えた光学シートが含まれているので、熱変形等で前記光学シートが変形する場合でも、前記光学シートの先端部分が隣の光学シートに引っ掛かりにくい。これにより、前記複数枚の光学シートの変形量に差がある場合であっても、変形量（変形速度）の差で、前記光学シートがたわむのを抑制することができる。
【００１６】
これにより、光学シートのたわみによって面状光に輝度むらが発生するのを抑制し、品質の高い（輝度の均一性の高い）面状光を出射するバックライトユニットを提供することが可能である。
【００１７】
上記構成において、前記折曲部を備えた光学シートは、少なくとも３辺に前記折曲部が形成されていてもよい。前記折曲部が少なくとも３辺に形成されていることで、光学シート群に含まれている光学シートの熱変形差によるたわみを抑制することができる。
【００１８】
上記構成において、  前記光学シート群は複数枚の折曲部を備えた光学シートを重ねて配置した構成を有しており、前記光学シート群は、１枚の折曲部を備えていない光学シートを有しており、前記折曲部を備えた光学シートは前記折曲部を備えていない光学シートの一方の面側に重ねて配置されていてもよい。前記折曲部を備えていない光学シートの前記導光板と反対側に前記折曲部を備えた光学シートを配置する場合、前記折曲部を備えた光学シートを前記導光板の出光面よりも小さく形成することができ、バックライトユニットをコンパクト化することができる。
【００１９】
上記構成において、  前記光学シート群は複数枚の折曲部を備えた光学シートを重ねて配置した構成を有しており、前記光学シート群は、１枚の折曲部を備えていない光学シートを有しており、前記折曲部を備えた光学シートは前記折曲部を備えていない光学シートの両面に分かれて配置されていてもよい。
【００２０】
上記構成において、前記光学シート群が熱膨張していない状態及び熱膨張した状態いずれの状態でも、前記折曲部を備えた光学シートは、前記折曲部を備えていない光学シートから遠くに配置されているものが近くに配置されているものよりも大きくならないように形成されている。この構成によると、前記複数枚の光学シートが熱により膨張／収縮しても、各光学シートの先端部が隣の光学シートと引っ掛かるのを抑制することができる。これにより、熱変形の差による光学シートのたわみを抑制することができ、面状光の輝度むらを抑えることができる。
【００２１】
上記構成において、  前記光学シート群は複数枚の折曲部を備えた光学シートを重ねて配置した構成を有しており、前記折曲部を備えた光学シートは、前記折曲部を備えていない光学シートから遠いほど、折曲部の折曲角度が大きくなっていてもよい。前記折曲部の角度をこのように構成することで、熱膨張／収縮によって、前記複数枚の光学シートの先端が隣の光学シートと引っ掛かるのを抑制することができる。これにより、熱変形の差による光学シートのたわみを抑制することができ、面状光の輝度むらを抑えることができる。
【００２２】
上記構成において、熱膨張している状態のとき、前記折曲部を備えていない光学シートの隣に配置される前記折曲部を備えた光学シートの折曲部は、前記折曲部を備えていない光学シートの先端と平面視において重なっている。この構成によると、前記折曲部を備えていない光学シートの先端が、隣に配置された折曲部を備えた光学シートに引っ掛かるのを抑制することができる。これにより、熱変形の差による光学シートのたわみを抑制することができ、面状光の輝度むらを抑えることができる。
【００２３】
上記構成の光学シート群の具体的な例として、次のものを挙げることができる。前記光学シート群の上からｍ番目の光学シートの初期長さをｘｍ、線膨張係数をαｍ、折曲角をθｍ、温度変化をΔＴとしたとき、
αｍ−１＞αｍ
ｘｍ−１＋ｘｍ−１×αｍ−１×ΔＴ＜ｘｍ＋ｘｍ×αｍ×ΔＴ
θｍ−１≧θｍ 
（ｍは２以上の自然数）
が成り立つ。
【００２４】
上述のバックライトユニットを用いた装置の例として、前記バックライトユニットの正面側に配置された液晶パネルユニットを備えた液晶表示装置を挙げることができる。
【発明の効果】
【００２５】
本発明によると、出射される面状光の輝度むらを抑制することができるバックライトユニット及びこのバックライトユニットを用いた液晶表示装置を提供することができる。
【図面の簡単な説明】
【００２６】
【図１】本発明にかかる液晶表示装置の分解斜視図である。
【図２】図１に示す液晶表示装置に用いられているバックライトユニットの断面図である。
【図３】本発明にかかるバックライトユニットの導光板及び光学シート群を示す斜視図である。
【図４】バックライトユニットが停止しているときの導光板及び光学シート群拡大断面図である。
【図５】バックライトユニットが駆動しているときの導光板及び光学シート群の拡大断面図である。
【図６】本発明にかかるバックライトユニットの他の例の他の例の断面図である。
【図７】図６に示すバックライトユニットに用いられている光学シート群が熱膨張した状態の断面図である。
【図８】本発明にかかるバックライトユニットのさらに他の例にの断面図である。
【図９】図８に示す光学シート群が熱変形した状態を示す断面図である。
【図１０】本発明にかかるバックライトユニットの他の例に用いられる導光板及び光学シート群を示す斜視図である。
【図１１】本発明にかかるバックライトユニットのさらに他の例を示す断面図である。
【図１２】図１１に示すバックライトユニットの変形例である。
【図１３】図１１に示すバックライトユニットの変形例である。
【図１４】従来のエッジライト方式のバックライトユニットの分解斜視図である。
【図１５】図１４に示すバックライトユニットの断面図である。
【発明を実施するための形態】
【００２７】
以下に本発明の実施形態について図面を参照して説明する。図１は本発明にかかる液晶表示装置の分解斜視図であり、図２は図１に示す液晶表示装置に用いられているバックライトユニットの断面図である。なお、図１、図２では、紙面上側が正面、すなわち、観察者側であり、下側が背面として説明する。また、以下において、特に記載されていない場合、図１あるいは図２の状態における正面及び背面を基準に説明する。
【００２８】
図１に示すように、液晶表示装置Ａは、バックライトユニット１と、バックライトユニット１の正面に配置された液晶パネルユニット６とを備えている。
【００２９】
液晶パネルユニット６は、背面側をバックライトユニット１の後述するパネルホルダ５に保持される。なお、図示は省略しているが、パネルホルダ５には、液晶パネルユニット６がずれるのを抑制するための保持部が備えられている場合もある。
【００３０】
液晶パネルユニット６は、液晶が封入された液晶パネル６１と、液晶パネル６１の前面（観察者側）及び背面（バックライト１側）に貼り付けられた偏光板６２とを有している。また、図２に示すように、液晶パネル６１は、アレイ基板６１１と、アレイ基板６１１と対向して配置された対向基板６１２と、アレイ基板と対向基板との間に充填される液晶（不図示）とを含んでいる。
【００３１】
アレイ基板６１１には、互いに直交するソース配線及びゲート配線、ソース配線及びゲート配線に接続されたスイッチング素子（例えば、薄膜トランジスタ）、スイッチング素子に接続された画素電極及び配向膜等が設けられている。そして、対向基板６１２には、赤、緑、青（ＲＧＢ）の各着色部が所定の配列で配置されたカラーフィルタ、共通電極、配向膜等が設けられている。
【００３２】
アレイ基板６１１のスイッチング素子が駆動されることで、液晶パネル６１の各画素におけるアレイ基板６１１と対向基板６１２との間に電圧が印加される。液晶パネルユニット６では、アレイ基板６１１と対向基板６１２の間の電圧を調整することで液晶を操作し、各画素を透過する光を変調している。液晶表示装置Ａでは、この光の変調を利用し、液晶パネル６１の画像表示領域に画像を表示している。
【００３３】
（第１の実施形態）
本発明の要部であるバックライトユニットについて図面を参照して説明する。バックライトユニット１は、面内で輝度が均一化された面状光を液晶パネルユニット６に照射する照明装置である。図１、図２に示すように、バックライトユニット１は、平板形状の導光板２と、導光板２の側面に形成された受光面２２に向けて光を照射する光源ユニット３と、導光板２と近接して配置された光学シート群４と、導光板２及び光学シート群４の辺縁部を正面側から押さえるパネルホルダ５とを備えている。
【００３４】
また、バックライトユニット１は、バックライトシャーシ７を備えており、導光板２、光源ユニット３、光学シート群４及びパネルホルダ５が内部に配置されている。さらに、バックライトユニット１には、導光板２とバックライトシャーシ７の底部７０との間に、双方と接触するように配置される反射シート１１が備えられている。なお、底部７０が十分に光を反射できる構成である場合、反射シート１１は省略してもよい。
【００３５】
図１、図２に示すように、バックライトシャーシ７は、正面側が開口した箱状の部材であり、正面視長方形状の底部７０と、底部７０より突出した側壁部７１とを備えている。
【００３６】
導光板２は、光源ユニット３から出射された光を液晶パネルユニット６に導くための部材であり、ポリメチルメタクリレート（ＰＭＭＡ）、ポリカーボネイト等の透明な樹脂を平板形状に成形したものが用いられている。なお、これらの樹脂に限定されるものではなく、透明或いは透光性を有し、平板形状に形成することができるものを広く採用することができる。
【００３７】
図１に示すように、導光板２は、バックライトシャーシ７の内部に配置されたとき、液晶パネルユニット６と対向する主面が出光面２１、短手方向の両側面が光源ユニット３からの光を受光する受光面２２、出光面２１と反対側の主面が反射面２３として構成されている。導光板２では、光源ユニット３から出射された光が受光面２２から受光され、均一化された面状光として出光面２１より出射される。
【００３８】
光源ユニット３は、受光面２２と対向して配置される長尺形状のＬＥＤアレイ基板３０と、ＬＥＤアレイ基板３０上に直線状に配列された複数個のＬＥＤ３１を備えている。なお、光源ユニット３では、ＬＥＤ３１は等間隔で配列されているが、部分的に間隔を変えた配列であってもよい。図２に示すように、ＬＥＤアレイ基板３０がバックライトシャーシ７の側壁部７１に固定されている。このとき、ＬＥＤ３１がバックライト１の内側、すなわち、導光板２の受光面２２に対向する。これにより、ＬＥＤ３１から出射された光は、受光面２２に入射する。
【００３９】
光学シート群４は、導光板２の出光面２１より出射された光の輝度を均一化したり、正面方向の輝度を向上したりするのに用いられる。光学シート群４は、第１光学シート４１、第２光学シート４２及び第３光学シート４３がこの順で導光板側から重ねられた構成を有している。
【００４０】
なお、光学シート群４では、第１光学シート４１は輝度を向上する反射型変光性シート（ＤＢＥＦ）、第２光学シートは透過する光を正面側に集光するプリズムシート、第３光学シート４３は透過する光を拡散する拡散シートとしている。また、上述の光学シート以外の光学シートを用いる場合もある。なお、光学シート群４の詳細については後述する。
【００４１】
パネルホルダ５は、バックライトユニット１の導光板２の正面側に取り付けられる部材であり、バックライトシャーシ７の内部に収まる形状を有している。パネルホルダ５は正面側に形成され液晶パネルユニット６を保持するパネル保持部５１と、光学シート群４の正面側の周縁部の浮き上がりを押えるシート押え部５２と、シート押え部５２の辺縁部より突設された側壁部５３を備えている。パネルホルダ５が備えられていることで、光学シート群４と液晶パネルユニット６とが直接接触するのを抑制している。なお、パネルホルダ５は、バックライトシャーシ７に対して着脱可能であるとともに、図示を省略した固定部で、バックライトシャーシ７に固定可能となっている。この固定部は、バックライトシャーシ７と一体であってもよい。
【００４２】
パネルホルダ５についてさらに詳しく説明する。パネルホルダ５は、正面の中央部分に開口を有しており、この開口を導光板２の出光面２１から出射された面状光が透過する。そのため、パネルホルダ５は、面状光の照射領域を制限する光マスクとしての機能も有している。
【００４３】
本発明のバックライトユニットの要部である光学シート群について図面を参照して説明する。図３は本発明にかかるバックライトユニットの導光板及び光学シート群を示す斜視図であり、図４はバックライトユニットが停止しているときの導光板及び光学シート群拡大断面図であり、図５はバックライトユニットが駆動しているときの導光板及び光学シート群の拡大断面図である。
【００４４】
図３、４に示すバックライトユニット１は、面状光の出射を停止しており、内部の温度が低温になっている。なお、この状態を初期状態又は低温状態と称する。また、図５に示すバックライトユニット１は、面状光を出射している状態であり、内部の温度が初期状態よりも高くなっている。なお、この状態を膨張状態又は高温状態と称する。
【００４５】
また、光学シート群４では、第１光学シート４１の線膨張係数α１、第２光学シート４２の線膨張係数α２、第３光学シート４３の線膨張係数α３とすると、各光学シートの線膨張係数には、α１＞α２＞α３の関係が成り立っている。
【００４６】
光学シート群４は、導光板２の出光面２１から出射される面状光が透過するように、すなわち、出光面２１を覆うように配置される。図３、図４に示すように、光学シート群４は、第３光学シート４３が導光板２の出光面２１ときっちりと重なっている。そして、第３光学シート４３の正面側に配置される第２光学シート４２が第３光学シート４３よりも小さく、第１光学シート４１が第２光学シート４１よりも小さく形成されている。そして、第１光学シート４１、第２光学シート４２及び第３光学シート４３の中心部分が、出光面２１の中心部分と重なるように配置されている。
【００４７】
各光学シート４１、４２、４３は、厚さ約０．３ｍｍのシートであり、たわみやすい。また、通常の製造過程では、トムソン型の打抜きで形成されるため、端部にバリが発生している場合もあり、先端の角部が隣の光学シートに引っかかりやすくなっている。
【００４８】
そのため、図３に示すように、第２光学シート４２は、４つの角部が切りかかれており、２つの長辺部及び２つの短辺部には、正面側に折り曲げた折曲部４２１が形成されている。さらに、図３に示すように、第１光学シート４１は、第２光学シート４２よりも小さく形成されている。そして、第１光学シート４１も、第２光学シート４２と同様に、４つの角部が切りかかれているとともに、４辺の全てに正面側に折り曲げられた折曲部４１１を備えている。
【００４９】
光学シート群４において、折曲部４１１及び折曲部４２１の長さ及び折曲角が同じであるとし、温度変化量をΔＴ、第１光学シート４１の低温時の長さ（初期長さ）をｘ１、第２光学シート４２の初期長さをｘ２、第３光学シート４３の初期長さをｘ３、とすると、次の条件を満たすように第１光学シート４１、第２光学シート４２及び第３光学シート４３の大きさを決定している（図５参照）。
ｘ１＋ｘ１×α１×ΔＴ＜ｘ２＋ｘ２×α２×ΔＴ＜ｘ３＋ｘ３×α３×ΔＴ（式１）
【００５０】
このような、光学シート群４では、第２光学シート４２は第３光学シート４３よりも線膨張係数が大きいので、温度変化による変形量（熱変形速度）が大きい。また、第２光学シート４２が折曲部４２１を備えていることで、第２光学シート４２と第３光学シート４３の熱変形量（熱膨張量）に差が生じても、第２光学シート４２の先端部分が第３光学シート４３に引っ掛かるのを抑制している（図５参照）。また、第２光学シート４２と第３光学シート４３は中央部が出光面２１の中央部分と重なるように配置されており、第２光学シート４２及び第３光学シート４３は、熱変形しても、各光学シートの４辺がパネルホルダ５の側壁部５３と接触しない大きさに形成されている。
【００５１】
また、第１光学シート４１の熱変形量（熱変形速度）は第２光学シート４２の熱変形量（熱変形速度）よりも大きい。第１光学シート４１と第２光学シート４２とが式１の条件を満たすように形成されていることで、第１光学シート４１と第２光学シート４２との熱変形量に差が生じても、第１光学シート４１の折曲部４１１の先端が第２光学シート４２（折曲部４２１）に引っ掛かるのを抑制することができる。また、第１光学シート４１と第２光学シート４２は中央部が出光面２１の中央部分と重なるように配置されており、第１光学シート４１及び第２光学シート４２は、熱膨張しても、各光学シートの４辺がパネルホルダ５の側壁部５３と接触しない大きさに形成されている。
【００５２】
また、熱膨張したとき、正面視において、第２光学シート４２の折曲部４２１が完全に第３光学シート４３の外側に移動しないように第２光学シート４２及び第３光学シート４３の形状及び大きさは決められるようにしてもよい。これにより、第２光学シート４２の折曲部４２１が完全に第３光学シート４３の外側に移動することで、第３光学シート４３の先端が第２光学シート４２に引っ掛かるのを抑制し、熱収縮時に第２光学シート４２及び（又は）第３光学シート４３のたわみを抑制している。
【００５３】
以上示したように、熱変形によって各光学シート４１、４２、４３の端部がパネルホルダ５の側壁部５３部と接触しないように形成されているとともに、第１光学シート４１の各辺の端部が第２光学シート４２に引っ掛かるのを抑制し、第２光学シート４２の各辺の端部が第３光学シート４３に引っ掛かるのを抑制するので、各光学シート４１、４２、４３にたわみが発生するのを抑制する。
【００５４】
なお、上述の式１が長手方向、短手方向いずれでも成り立つように、第１光学シート４１及び第２光学シート４２の形状及び大きさを決定している。
【００５５】
第１光学シート４１、第２光学シート４２及び第３光学シート４３を上述のように形成することで、熱膨張量の差で第１光学シート４１の先端が第２光学シート４２に、第２光学シート４２の先端が第３光学シート４３に引っ掛かるのを抑制することができる。また、熱収縮時において、第３光学シート４３の先端が第２光学シート４２に引っ掛かるのを抑制できる。これにより、本発明にかかるバックライトユニット１は、動作時の内部の環境温度にかかわらず、光学シート群４のたわみを抑制し、均一化された面状光を出射することが可能である。
【００５６】
なお、上述した実施形態では、各光学シートの線膨張係数には、α１＞α２＞α３の関係が成り立っているものとしているが、これに限定されるものではない。式１が成り立てば面状光の輝度むらを抑制することが可能である。
【００５７】
（第２の実施形態）
本発明にかかるバックライトユニットの他の例について図面を参照して説明する。図６は本発明にかかるバックライトユニットの他の例の他の例の断面図であり、図７は図６に示すバックライトユニットに用いられている光学シート群が熱膨張した状態の断面図である。なお、図６、図７に示すバックライトユニット１Ｂでは、光学シート４Ｂが異なる以外は、図３、図４等に示すバックライトユニット１と同じ構成を有している。そして、実質上同じ部分の符号は省略するとともに、同じ部分の詳細な説明は省略する。
【００５８】
図６に示すように、光学シート群４Ｂの第１光学シート４１ｂの折曲部４１２と第２光学シート４２の折曲部４２２の折曲度合を変えてある。詳しく説明すると、第１光学シート４１ｂの折曲部４１２の折曲角度（折曲部４１２を折り曲げて起こした角度）をθ１、第２光学シート４２ｂの折曲部４２２の折曲角度をθ２とすると、θ１＞θ２となるように、第１光学シート４１ｂ及び第２光学シート４２ｂを形成している（図６参照）。
【００５９】
光学シート群４Ｂの周囲の温度が上昇すると、第１光学シート４１ｂ及び第２光学シート４２ｂは熱膨張する。図７に示すように、第１光学シート４１ｂの熱膨張量は第２光学シート４２ｂの熱膨張量よりも大きくなる。正面視において、第１光学シート４１ｂ及び第２光学シート４２ｂが熱膨張し、折曲部４１２と第２折曲部４２２と重なる場合がある。この場合でも、折曲部４１２の折曲角θ１が折曲部４２２の折曲角θ２よりも大きいので折曲部４１２の先端が第２折曲部４２２に接触しない。これにより、第１光学シート４１ｂと第２光学シート４２ｂとの熱膨張差によって、第１光学シート４１ｂの先端が、第２光学シート４２ｂに引っ掛かるのを抑制することができる。
【００６０】
これにより、熱膨張が発生した場合でも、第１光学シート４１ｂ及び第２光学シート４２ｂにたわみが発生するのを抑制し、光学シート群４Ｂを透過する面状光の輝度むらを抑制することができる。なお、第２光学シート４２ｂの折曲部４２２が正面側に折り曲げられているので、第２光学シート４２ｂの先端が第３光学シート４３に引っ掛かるのを抑制できる。これにより、第２光学シート４２ｂ及び第３光学シート４３のたわみを抑制することができる。
【００６１】
以上のことより、本発明にかかるバックライトユニット１Ｂは、動作時の内部の環境温度にかかわらず、光学シート群４Ｂのたわみを抑制し、均一化された面状光を出射することが可能である。
【００６２】
（第３の実施形態）
本発明にかかるバックライトユニットのさらに他の例について図面を参照して説明する。図８は本発明にかかるバックライトユニットのさらに他の例の断面図であり、図９は図８に示す光学シート群が熱変形した状態を示す断面図である。なお、図８、図９に示すバックライトユニット１Ｃでは、光学シート群４Ｃが異なる以外は、図３等に示すバックライトユニット１と同じ構成を有しており、実質上同じ部分には同じ符号を付すとともに、同じ部分の詳細な説明は省略する。
【００６３】
図８に示すように、光学シート群４Ｃは、光学シート群４とは異なり、第１光学シート４１ｃ、第２光学シート４２ｃ及び第３光学シート４３ｃが、出光面２１よりも大きく形成されている。つまり、光学シート群４Ｃでは、各光学シート４１ｃ、４２ｃ、４３ｃの先端部分が、正面視において、出光面２１の外側に突出している。そして、図８に示すように、光学シート群４Ｃでは、第１光学シート４１ｃは正面側に折り曲げられた折曲部４１３を備えている。また、第３光学シート４３ｃは４つの角部が切りかかれており、４辺の先端が背面側に折り曲げられた折曲部４３３を備えている。また、第２光学シート４２ｃは、折曲部を備えていない平板状で形成されている。
【００６４】
そして、図８に示すバックライトユニット１Ｃでは、光学シート群４Ｃは初期状態であり、正面から見て、第１光学シート４１ｃ、第２光学シート４２ｃ及び第３光学シート４３ｃの先端が重なっている。そして、光学シート群４Ｃの周囲の環境温度が上昇すると、各光学シート４１ｃ、４２ｃ、４３ｃはそれぞれ熱膨張する。このとき、各光学シート４１ｃ、４２ｃ、４３ｃの線膨張係数には、α１＞α２＞α３の関係があるので、第１光学シート４１ｃの突出量が最も大きく、第３光学シート４３ｃの突出量が最も小さい（図９参照）。
【００６５】
各光学シート４１ｃ、４２ｃ、４３ｃが熱膨張している状態から、温度が下がり初期状態に戻るときの変形量は、第１光学シート４１ｃが最も大きく、第３光学シート４３ｃが最も小さい。第１光学シート４１ｃの折曲部４１３が正面側に折り曲げられているので、収縮時に第２光学シート４２ｃの先端が第１光学シート４１ｃと引っ掛かりにくくなっている。これにより、第１光学シート４１ｃ及び第２光学シート４２ｃが膨張状態から初期状態に戻るときの熱変形量（温度低下による収縮量）の差による第１光学シート４１ｃ及び（又は）第２光学シート４２ｃのたわみを抑制できる。
【００６６】
また、第３光学シート４３ｃの折曲部４１３が背面側に折り曲げられているので、収縮時に第３光学シート４３ｃの折曲部４１３の先端が第２光学シート４２ｃに引っ掛かりにくくなっている。これにより、第２光学シート４２ｃ及び第３光学シート４３ｃが膨張状態から初期状態に戻るときの熱変形量（温度低下による収縮量）の差による第２光学シート４２ｃ及び（又は）第３光学シート４３ｃのたわみを抑制できる。
【００６７】
また、熱膨張したとき、第１光学シート４１ｃの折曲部４１３が、正面視において、第２光学シート４２ｃよりも外側に突出すると、第１光学シート４１ｃの折曲部４１３以外の部分と第２光学シート４２ｃの先端とが接触しやすくなり、第２光学シート４２ｃの先端が、第１光学シート４１ｃに引っ掛かりやすくなる。そのため、第１光学シート４１ｃは、第１光学シート４１ｃ及び第２光学シート４２ｃが熱膨張したときに、折曲部４１３が第２光学シート４２ｃの先端の正面側と重なるように形成されている。
【００６８】
バックライトユニット１Ｃでは、光学シート群４Ｃの全ての光学シート４１ｃ、４２ｃ、４３ｃが導光板２の出光面２１よりも大きく形成されているので、面状光の全てが、第１光学シート４１ｃ、第２光学シート４２ｃ或いは第３光学シート４３ｃを透過する。これにより、面状光の輝度むらを抑えることが可能である。
【００６９】
以上のことより、本発明にかかるバックライトユニット１Ｂは、動作時の内部の環境温度にかかわらず、光学シート群４Ｃのたわみを抑制し、均一化された面状光を出射することが可能である。
【００７０】
（第４の実施形態）
本発明にかかるバックライトユニットのさらに他の例について図面を参照して説明する。図１０は本発明にかかるバックライトユニットの他の例に用いられる導光板及び光学シート群を示す斜視図である。図６等に示す光学シート群４Ｄは、第１光学シート４１ｄ、第２光学シート４２ｄが異なる以外は、図３に示す光学シート群４と同じ構成を有しており、実質上同じ部分には同じ符号を付すとともに、同じ部分の詳細な説明は省略する。
【００７１】
図１０に示すように、光学シート群４Ｄの各光学シート４１ｄ、４２ｄ及び４３ｄは、正面視長辺の一方の先端部分が揃えて固定される構成となっている（固定具は不図示）。つまり、第１光学シート４１ｄ、第２光学シート４２ｄの固定部分は、折曲部が形成されていない。このような構成であっても、各光学シート４１ｄ、４２ｄ、４３ｄは固定部分から離れる方向に膨張することで、たわみの発生が抑制される。そのため、光学シート群４Ｄを通過する面状光の輝度むらの発生を抑制することができる。
【００７２】
なお、本実施形態のような光学シート群に含まれる光学シートの３辺に折曲部を備えた構成として、第１の実施形態に示したように、複数の光学シート（第１光学シート４１ｄ及び第２光学シート４２ｄ）で折曲方向が同じ（ここでは、正面側）であるものとしているが、これに限定されるものではなく、第３の実施形態のように、折曲方向が異なる光学シート（第１光学シート４１ｃと第３光学シート４３ｓ）を利用しているものとしてもよい。
【００７３】
（第５の実施形態）
本発明にかかるバックライトユニットのさらに他の例について図面を参照して説明する。図１１は本発明にかかるバックライトユニットのさらに他の例を示す断面図である。図１１に示すように、バックライトユニット１Ｅは、光学シート群４Ｅが第１光学シート４１ｅ及び第２光学シート４２ｅの２枚の光学シートを含む構成となっている以外は、図８等に示すバックライトユニット１Ｃと同じ構成であり、実質上同じ部分には同じ符号が付してある。
【００７４】
図１１に示すように、光学シート群４Ｅは、導光板２の出光面２１と接触配置された第２光学シート４２ｅと、第２光学シート４２ｅの正面側に接触配置された第１光学シート４１ｅを備えている。そして、第１光学シート４１ｅは、４つの辺の先端部に正面側に折り曲げられた折曲部４１４を備えている。折曲部４１４を備えていることで、第１光学シート４１ｅ及び第２光学シート４２ｅが熱変形するとき、先端部分が他方の光学シートに引っ掛かりにくく、光学シート群４Ｅにたわみが発生しにくい。そのため、光学シート群４Ｅを通過する面状光に輝度むらが発生するのを抑制することができる。
【００７５】
なお、光学シート群４Ｅは、図１２に示すように、配置状態に合わせて、導光板２に接触している第２光学シート４２ｅの先端に背面側に折り曲げる折曲部４２４を備える構成としてもよいし、図１３に示すように、第１光学シート４１ｅに折曲部４１４が、第２光学シート４２ｅに折曲部４２４が、それぞれ形成される構成であってもよい。
【００７６】
（第６の実施形態）
上述の実施形態において、光学シート群として、２枚又は３枚の光学シートを備えているものとしているが、４枚以上の光学シートを備えるものであっても、同様に、折曲部を形成することで、光学シート群のたわみを抑制することができる。
【００７７】
例えば、光学シート群４ｋがｋ枚の光学シートを重ねた構成を有しており、ｎ枚の光学シートが正面側に折り曲げる折曲部を備えているとする。正面側に折り曲げた折曲部を有する光学シートのうち上からｍ番目の光学シートの初期長さをｘｍ、線膨張係数をαｍ、折曲角をθｍとすると、正面側に折り曲げられた折曲部を有する光学シートは以下の式のいずれか一方或いは両方を満たすように形成される。
ｘｍ−１＋ｘｍ−１×αｍ−１×ΔＴ＜ｘｍ＋ｘｍ×αｍ×ΔＴ（式２）
θｍ−１≧θｍ                                      （式３）
【００７８】
また、背面側に折り曲げられた折曲部を有する光学シートも同様の関係が成り立つように形成されている。
【００７９】
以上の構成とすることで、光学シート群が複数枚の光学シートを備えている場合であっても、光学シートが変形するときに光学シートの先端が隣の光学シートに引っ掛かるのを抑制することができる。これにより、面状光の輝度むらを抑えることが可能である。
【００８０】
以上、本発明の実施形態について説明したが、本発明はこの内容に限定されるものではない。また本発明の実施形態は、発明の趣旨を逸脱しない限り、種々の改変を加えることが可能である。
【産業上の利用可能性】
【００８１】
本発明にかかるバックライトユニット及びバックライトを備えた液晶表示装置は、携帯電話、携帯情報端末、タブレットＰＣ、ナビゲーション装置、ゲーム機の表示部や、家電装置の表示部として利用することが可能である。
【符号の説明】
【００８２】
１  バックライトユニット
２  導光板
２１  出光面
２２  受光面
２３  反射面
３  光源ユニット
３０  ＬＥＤアレイ基板
３１  ＬＥＤ（光源）
４  光学シート群
４１  第１光学シート
４２  第２光学シート
４３  第３光学シート
５  パネルホルダ
５１  パネル保持部
５２  シート押え部
５３  側壁部
６  液晶パネルユニット
６１  液晶パネル
６１１  アレイ基板
６１２  対向基板
６２  偏光板
７  バックライトシャーシ
７０  底部
７１  側壁部
【図１】
2013175367.tif 000003
【図２】
2013175367.tif 000004
【図３】
2013175367.tif 000005
【図４】
2013175367.tif 000006
【図５】
2013175367.tif 000007
【図６】
2013175367.tif 000008
【図７】
2013175367.tif 000009
【図８】
2013175367.tif 000010
【図９】
2013175367.tif 000011
【図１０】
2013175367.tif 000012
【図１１】
2013175367.tif 000013
【図１２】
2013175367.tif 000014
【図１３】
2013175367.tif 000015
【図１４】
2013175367.tif 000016
【図１５】
2013175367.tif 000017